(57)【要約】【課題】水滴が床面に落ちることなく、また汚れが堆積して不潔な環境になることがない衛生的な食器洗い機を提供する。【解決手段】扉体４とともに引き出される主トレイ２０と補助トレイ２１とを備え、主トレイ２０は洗浄空間５の内部の下食器かご７の下方に設けられ、補助トレイ２１は、主トレイ２０の下方で洗浄空間５の外に設けられたことにより、運転中または運転終了後に扉体４が引き出され、主トレイ２０の裏面に付着した水滴が下に落下したとき、補助トレイ２１がその水滴を受けることができるため、水滴が床面に落ちることを防ぐことができ、また補助トレイ２１上には水滴しか落ちないため、汚れが蓄積して不潔な環境になることがない衛生的な食器洗い機を提供することができる。【選択図】図２
2019000613.tif 000002
【特許請求の範囲】
【請求項１】
前面開口部を有した洗浄槽と、前記洗浄槽の前記前面開口部を覆い前方に引き出し可能な扉体と、前記洗浄槽と前記扉体とで形成された洗浄空間と、前記洗浄空間内に収納される食器かごと、前記食器かごに収納された食器等の被洗浄物を洗浄する洗浄ノズルと、前記扉体とともに引き出される主トレイと補助トレイとを備え、前記主トレイは、前記洗浄空間内の前記食器かごの下方に設けられ、前記補助トレイは、前記主トレイの下方で前記洗浄空間外に設けられた食器洗い機。
【請求項２】
前記補助トレイは、前記主トレイより左右方向の幅寸法が大きく構成された請求項１に記載の食器洗い機。
【請求項３】
前記扉体とともに前記食器かごも引き出されるように構成された請求項１または２に記載の食器洗い機。
【請求項４】
前記主トレイ、または前記補助トレイの少なくともいずれか１つは着脱可能とされた請求項１〜３のいずれか１項に記載の食器洗い機。
【請求項５】
前記扉体が引き出されたときの前記主トレイと前記補助トレイとの間の隙間は、使用者の手が入る間隔に構成された請求項１〜４のいずれか１項に記載の食器洗い機。
【請求項６】
前記補助トレイは複数のトレイで構成された請求項１〜５のいずれか１項に記載の食器洗い機。
【請求項７】
前記補助トレイの複数のトレイは、前記扉体が前記洗浄槽の前記前面開口部を覆っているときには上下方向に重ねられて収納され、前記扉体が引き出されたときには引き出し方向に展開される請求項６に記載の食器洗い機。
【請求項８】
前記補助トレイの複数のトレイは、前記扉体が引き出されて引き出し方向に展開されたときに、複数のトレイ間にオーバーラップ部を有する請求項７に記載の食器洗い機。
【請求項９】
前記補助トレイの複数のトレイの最後端は、前記扉体が引き出されて前記補助トレイの複数のトレイが引き出し方向に展開されたときに、前記洗浄槽の前面より後方に位置規制される請求項７または８に記載の食器洗い機。
【請求項１０】
前記主トレイは、底部の上面が後方に向かって下方に傾斜させて形成もしくは配置され、後部に底部の上面と下面とを貫通させてトレイ流出口が設けられた請求項１〜９のいずれか１項に記載の食器洗い機。
【請求項１１】
前記トレイ流出口は、前記扉体が完全に引き出されたとき、前記洗浄槽の前面より後方に位置させた請求項１０に記載の食器洗い機。
【請求項１２】
前記主トレイは、前記トレイ流出口に洗浄水に含まれる残菜を捕集する残菜フィルタを備えた請求項１０または１１に記載の食器洗い機。
【請求項１３】
前記主トレイは、前記洗浄槽に対し転動しながら前記主トレイを支持する転動支持部を備えた請求項１〜１２のいずれか１項に記載の食器洗い機。
【請求項１４】
前記洗浄槽の左右の側壁の内側面に、洗浄水を前記主トレイに導入する洗浄水導入部が備えられた請求項１〜１３のいずれか１項に記載の食器洗い機。
【請求項１５】
前記洗浄水導入部は、前記主トレイの周縁を覆うように前記主トレイの上方に設けられた請求項１４に記載の食器洗い機。
【請求項１６】
前記洗浄水導入部は、前記主トレイが移動するトレイレールを覆うように前記トレイレールの上方に設けられた請求項１４または１５に記載の食器洗い機。
【請求項１７】
前記洗浄水導入部は、後方に向かって下方に傾斜させて設けられた請求項１４〜１６のいずれか１項に記載の食器洗い機。
【請求項１８】
前記洗浄水導入部は、前記洗浄槽の内方に向かって下方に傾斜させて設けられた請求項１４〜１７のいずれか１項に記載の食器洗い機。
【発明の詳細な説明】
【技術分野】
【０００１】
本発明は、食器等の被洗浄物が載置される食器かごが洗浄槽から前方に引き出される構成の食器洗い機に関する。
【背景技術】
【０００２】
従来の食器洗い機は、扉が前方に引き出されるのに伴って洗浄槽から前方に引き出される食器かごにトレーを備え、前記トレーの裏面を相対的に摺動させることにより当該裏面に付着している水滴を払拭する水滴除去部を備えていた（例えば、特許文献１参照）。
【０００３】
また、食器かごの下方に設けられ、前扉の内側面下部に先端が固着された水受け皿が、洗浄工程時には洗浄槽の底部より下方位置において片持ち梁状に後方に延設されている食器洗い機もある（例えば、特許文献２参照）。
【先行技術文献】
【特許文献】
【０００４】
【特許文献１】特開２００８−１１９２０５号公報
【特許文献２】特開２００９−１０６５２７号公報
【発明の概要】
【発明が解決しようとする課題】
【０００５】
しかしながら、水滴除去部を有する食器洗い機は、水滴除去部とトレー裏面との間で接触ばらつきを生じたり、摺動が繰り返されることによる磨耗によりトレー裏面の水滴を拭き取りきれない現象が発生する。これにより扉が引き出されたときに、トレー裏面の水滴が床面に落下するという課題があった。
【０００６】
また、洗浄工程時には水受け皿が洗浄槽の底部より下方に設けられた食器洗い機は、洗浄工程においては水受け皿は洗浄されない。このため、被洗浄物から水受け皿に落下した汚れが蓄積し、水受け皿および水受け皿が収納される洗浄槽の下側の空間が不潔な環境になるという課題もあった。
【０００７】
本発明は、前記従来の課題を解決するもので、水滴が床面に落ちることなく、また汚れが堆積して不潔な環境になることがない衛生的な食器洗い機を提供することを目的とする。
【課題を解決するための手段】
【０００８】
前記従来の課題を解決するために、本発明の食器洗い機は、前面開口部を有した洗浄槽と、前記洗浄槽の前記前面開口部を覆い前方に引き出し可能な扉体と、前記洗浄槽と前記扉体とで形成された洗浄空間と、前記洗浄空間内に収納される食器かごと、前記食器かごに収納された食器等の被洗浄物を洗浄する洗浄ノズルと、前記扉体とともに引き出される主トレイと補助トレイとを備え、前記主トレイは、前記洗浄空間内の前記食器かごの下方に設けられ、前記補助トレイは、前記主トレイの下方で前記洗浄空間外に設けられたものである。
【０００９】
これによって、前記扉体が前方に引き出されたとき、洗浄工程で洗浄される主トレイで食器から落ちる汚れを直接受け、主トレイの裏面に付着した水滴だけを補助トレイで受けることができ、水滴が床面に落ちることを防ぐことができ、また、補助トレイ上には水滴しか落ちないため、汚れが蓄積して補助トレイや補助トレイが収納される空間が不潔な環
境になることがない衛生的な食器洗い機を提供することができる。
【発明の効果】
【００１０】
本発明の食器洗い機は、水滴が床面に落ちることなく、また汚れが堆積して不潔な環境になることがない衛生的な食器洗い機を提供することができる。
【図面の簡単な説明】
【００１１】
【図１】本発明の実施の形態１における食器洗い機の扉体が前方に引き出された状態の斜視図
【図２】本発明の実施の形態１における食器洗い機の扉体が前方に引き出された状態の側断面図
【図３】本発明の実施の形態１における食器洗い機の扉体が閉じられた状態の側断面図
【図４】本発明の実施の形態１における食器洗い機の扉体が閉じられた状態の要部正面断面図
【図５】（ａ）本発明の実施の形態１における食器洗い機の扉体が閉じられた状態のスライドレール近傍の要部正面断面図（ｂ）本発明の実施の形態１における食器洗い機の補助トレイが除かれて扉体が前方に引き出された状態の要部側断面図
【図６】（ａ）本発明の実施の形態１における食器洗い機の扉体が閉じられた状態の補助トレイ近傍の要部側断面図（ｂ）本発明の実施の形態１における食器洗い機の扉体が前方に引き出された状態の補助トレイ近傍の要部側断面図
【図７】本発明の実施の形態１における食器洗い機の扉体が前方に引き出された状態の主トレイ近傍の要部平面断面図
【図８】本発明の実施の形態１における食器洗い機の洗浄工程における洗浄水の流れが示された側断面図
【発明を実施するための形態】
【００１２】
第１の発明の食器洗い機は、前面開口部を有した洗浄槽と、前記洗浄槽の前記前面開口部を覆い前方に引き出し可能な扉体と、前記洗浄槽と前記扉体とで形成された洗浄空間と、前記洗浄空間内に収納される食器かごと、前記食器かごに収納された食器等の被洗浄物を洗浄する洗浄ノズルと、前記扉体とともに引き出される主トレイと補助トレイとを備え、前記主トレイは、前記洗浄空間内の前記食器かごの下方に設けられ、前記補助トレイは、前記主トレイの下方で前記洗浄空間外に設けられたものである。
【００１３】
この構成によって、前記扉体が引き出されたとき、洗浄工程で洗浄される主トレイで被洗浄物から落ちる汚れを直接受け、主トレイの裏面に付着した水滴だけを補助トレイで受けることができ、水滴が床面に落ちることを防ぐことができ、また、補助トレイ上には水滴しか落ちないため、汚れが蓄積して補助トレイや補助トレイが収納される空間が不潔な環境になることがない衛生的な食器洗い機を提供することができる。
【００１４】
第２の発明は、特に、第１の発明において、前記補助トレイは、前記主トレイより左右方向の幅寸法が大きく構成されたものである。この構成によって、前記扉体が引き出されたとき、主トレイの裏面から落ちる水滴を補助トレイで確実に受けることができ、床面に水滴が落ちることを防ぐことができる。
【００１５】
第３の発明は、特に、第１または第２の発明において、前記扉体とともに前記食器かごも引き出されるように構成されたものである。この構成によって、使用者が扉体を引き出す動作だけで食器かごが前方に引き出され、使用者がわざわざ食器かごを引き出すことなく被洗浄物を食器かごにセットすることができる。
【００１６】
第４の発明は、特に、第１〜第３のいずれか１つの発明において、前記主トレイ、または前記補助トレイの少なくともいずれか１つは着脱可能とされたものである。この構成によって、使用者は、トレイを取り外して丸洗いすることができ、トレイを衛生的に保つことができる。
【００１７】
第５の発明は、特に、第１〜第４のいずれか１つの発明において、前記扉体が引き出されたときの前記主トレイと前記補助トレイとの間の隙間は、使用者の手が入る間隔に構成されたものである。この構成によって、使用者は、主トレイと補助トレイの間に手を入れて、主トレイを取り外すことなく容易に主トレイの下面および補助トレイの上面を掃除することができ、主トレイおよび補助トレイを衛生的に保つことができる。
【００１８】
第６の発明は、特に、第１〜第５のいずれか１つの発明において、前記補助トレイは複数のトレイで構成されたものである。この構成によって、前記扉体が閉じられたとき、補助トレイの水平方向に占める面積を小さくすることができ、排水口や洗浄排水ポンプ等のスペースを広く確保することができる。
【００１９】
第７の発明は、特に、第６の発明において、前記補助トレイの複数のトレイは、前記扉体が前記洗浄槽の前記前面開口部を覆っているときには上下方向に重ねられて収納され、前記扉体が引き出されたときには引き出し方向に展開されるものである。この構成によって、補助トレイを折り曲げたり、屈曲させたりすることなく、排水口や洗浄排水ポンプ等のスペースを広く確保することができ、小型の食器洗い機を提供することができる。
【００２０】
第８の発明は、特に、第７の発明において、前記補助トレイの複数のトレイは、前記扉体が引き出されて引き出し方向に展開されたときに、複数のトレイ間にオーバーラップ部を有するものである。この構成によって、扉体が前方限界まで引き出されたときにおいても、複数のトレイのうち特に後方のトレイが不安定になり、斜めになったり、外れたりすることを防止できる。また、前方のトレイ上に落下する洗浄水の床面への落下を防止することができる。
【００２１】
第９の発明は、特に、第７または第８の発明において、前記補助トレイの複数のトレイの最後端は、前記扉体が引き出されて前記補助トレイの複数のトレイが引き出し方向に展開されたときに、前記洗浄槽の前面より後方に位置規制されるものである。この構成によって、最後方のトレイが洗浄槽から前方に外れることがない。また、最後方のトレイの後端が洗浄槽の前面より前方まで出てしまうことがないので、食器かごから落下する洗浄水の床面への落下を防止することができる。
【００２２】
第１０の発明は、特に、第１〜第９のいずれか１つの発明において、前記主トレイは、底部の上面が後方に向かって下方に傾斜させて形成もしくは配置され、後部に底部の上面と下面とを貫通させてトレイ流出口が設けられたものである。この構成によって、洗浄中はもちろん、洗浄終了後においても、主トレイ上に落下する洗浄水や水滴を主トレイの底部の上面の傾斜およびトレイ流出口によって洗浄槽内に確実に導くことができる。これによって、洗浄中においては、洗浄水の循環を良くして洗浄性能を向上させることができる。また、洗浄終了後においては、主トレイ上に落下する洗浄水や水滴をすみやかに、主トレイ上から除去し、洗浄槽内に移動させることができ、扉体が引き出されたときに、洗浄水や水滴が床面に落下することを防止することができる。
【００２３】
第１１の発明は、特に、第１０の発明において、前記トレイ流出口は、前記扉体が完全に引き出されたとき、前記洗浄槽の前面より後方に位置させたものである。この構成によって、扉体が完全に引き出されたときにおいても、主トレイ上に落下する洗浄水や水滴を確実に洗浄槽内に収容することができる。したがって、扉体とともに引き出される主トレ
イがいかなる位置にあっても、主トレイ上に落下する洗浄水や水滴をトレイ流出口によって確実に洗浄槽内に移動させることができるとともに、扉体が引き出されたときに、食器かごから落下する洗浄水の床面への落下を防止することができる。
【００２４】
第１２の発明は、特に、第１０または第１１の発明において、前記主トレイは、前記トレイ流出口に洗浄水に含まれる残菜を捕集する残菜フィルタを備えたものである。残菜フィルタが扉体とともに前方に引き出されることにより、使用者は、残菜の処理を容易に行うことができる。また、洗浄槽の最下部に位置する排水フィルタより洗浄水の流れの上流側に残菜フィルタが設けられたことにより、残菜処理が行いづらい排水フィルタへの残菜の堆積を少なくし、使用者による残菜処理の手間を軽減することができる。
【００２５】
第１３の発明は、特に、第１〜第１２のいずれか１つの発明において、前記主トレイは、前記洗浄槽に対し転動しながら前記主トレイを支持する転動支持部を備えたものである。この構成によって、主トレイが扉体に片持ち支持された構成においても、主トレイを安定して支持した状態で前後に円滑に移動させることができる。これによって、主トレイが扉体とともに前方に引き出される際に、主トレイの振動を抑制することができ、主トレイに付着した水滴が周囲に飛散することを抑制することができる。また、洗浄中において、主トレイ上に落ちる洗浄水の荷重に対する主トレイの変形を抑えて、主トレイの裏面が洗浄槽の内底に流れ込む洗浄水に浸ることを防止することができる。
【００２６】
第１４の発明は、特に、第１〜第１３のいずれか１つの発明において、前記洗浄槽の左右の側壁の内側面に、洗浄水を前記主トレイに導入する洗浄水導入部が備えられたものである。この構成によって、洗浄中に洗浄槽の左右両側の側壁の内側面にかかる洗浄水は、主トレイに導入されて、トレイ流出口を通過して洗浄槽の内底に流れ落ちる。したがって、洗浄中の洗浄水が主トレイと洗浄槽の壁面との隙間に流れ込んで汚れや残菜が主トレイの周縁に付着することを抑制することができる。また、主トレイ上を流れる洗浄水の量を安定させ、主トレイに残菜や汚れが付着したままになることを防止できる。また、洗浄後においても、洗浄槽の左右両側の側壁の内側面を伝って洗浄水導入部に落ちてくる洗浄水も同様に主トレイ上に導かれ、主トレイの周縁に水滴や残菜が付着して床面に落下することを防止することができる。
【００２７】
第１５の発明は、特に、第１４の発明において、前記洗浄水導入部は、前記主トレイの周縁を覆うように前記主トレイの上方に設けられたものである。この構成によって、洗浄中の洗浄水は確実に主トレイ上に導入され、主トレイと洗浄槽の壁面との隙間に流れ込んで残菜や汚れが主トレイの周縁に付着することを抑制することができる。
【００２８】
第１６の発明は、特に、第１４または第１５の発明において、前記洗浄水導入部は、前記主トレイが移動するトレイレールを覆うように前記トレイレールの上方に設けられたものである。この構成によって、残菜や汚れがトレイレールに付着して主トレイの前後方向の移動が阻害されることを防止することができる。
【００２９】
第１７の発明は、特に、第１４〜第１６のいずれか１つの発明において、前記洗浄水導入部は、後方に向かって下方に傾斜させて設けられたものである。この構成によって、洗浄中に洗浄槽の左右両側の側壁の内側面にかかる洗浄水を、トレイ流出口および残菜フィルタを備えた主トレイの後部に可能な限り集中させて導入し、洗浄槽の内底に落下させることができる。これによって、主トレイの上面に残菜や汚れが残存することを抑制することができる。また、洗浄後に洗浄水導入部の表面に水滴や残菜や汚れが残存することを抑制することができる。
【００３０】
第１８の発明は、特に、第１４〜第１７のいずれか１つの発明において、前記洗浄水導
入部は、前記洗浄槽の内方に向かって下方に傾斜させて設けられたものである。この構成によって、洗浄中に洗浄槽の左右両側の側壁の内側面にかかる洗浄水を、確実に主トレイ上に導くことができる。また、洗浄後に洗浄水導入部の表面に水滴や残菜や汚れが残存することを抑制することができる。
【００３１】
以下、本発明の実施の形態について図面を参照しながら説明する。なお、この実施の形態によって本発明が限定されるものではない。
【００３２】
（実施の形態１）
図１は、本発明の実施の形態１における食器洗い機の扉体が前方に引き出された状態の斜視図である。図１に示されるように、食器洗い機１は、前面開口部２を有した洗浄槽３と、洗浄槽３の前面開口部２を覆い前後に移動可能な扉体４と、洗浄槽３と扉体４とで形成された洗浄空間５と、洗浄空間５内に収納され、被洗浄物６を載置し、前後に移動可能で金属製の線材で構成された下食器かご７および上食器かご８を備えている。
【００３３】
扉体４の上面には、操作部９が設けられている。使用者は、操作部９のボタンを押すことにより、電源の入り切り、スタート、一時停止、洗浄および乾燥のコースや条件の切り替えが行える。
【００３４】
なお、本実施の形態においては、洗浄槽３の前面開口部２側を前方とし、この前方より後方に向かって右側を右方とし、前方より後方に向かって左側を左方として、以下の説明を行う。
【００３５】
また、本実施の形態においては、２つの食器かごが設けられているが、必要とされる被洗浄物６の量に応じて１つの食器かごだけでもよく、また、３つ以上の食器かごが設けられてもよい。
さらに、本実施の形態においては、２つの食器かごは金属製の線材で構成されているが、コーティングされた金属あるいは樹脂材料が用いられてもよい。
【００３６】
図２は、本発明の実施の形態１における食器洗い機の扉体が前方に引き出された状態の側断面図である。図３は、本発明の実施の形態１における食器洗い機の扉体が閉じられた状態の側断面図である。
【００３７】
図２および図３に示されるように、洗浄槽３は、前面に位置する前面開口部２と、前面開口部２と対向し洗浄槽３の後部を塞ぐ後部壁３ｇと、洗浄槽３の上方を塞ぐ上部壁３ｃと、上部壁３ｃに対向する内底３ｄと、洗浄槽３の左右両側の側壁３ｅ、３ｆとによって構成されている。洗浄空間５は、洗浄槽３の前面開口部２を扉体４で塞いで水封して囲まれた略直方体で構成されている。
【００３８】
下食器かご７上の被洗浄物６を洗浄する下洗浄ノズル１０と、上食器かご８上の被洗浄物６を洗浄する上洗浄ノズル１１が設けられている。下食器かご７、下洗浄ノズル１０、上食器かご８および上洗浄ノズル１１はすべて、扉体４が閉じられた状態において、洗浄空間５内に位置している。
【００３９】
下洗浄ノズル１０は、下食器かご７の下方で、下食器かご７を上方から見て略中央部に下導水路１２と連結されて回転自在に設けられている。下洗浄ノズル１０は、洗浄水を通す中空空間を有し、下食器かご７上の被洗浄物６に向けて洗浄水を噴射する複数の噴射孔１０ａが上面に設けられている。下洗浄ノズル１０は、下導水路１２から供給される洗浄水が噴射孔１０ａから噴射される際に発生する反力により回転される。
【００４０】
なお、本実施の形態においては、噴射孔１０ａは下洗浄ノズル１０の上面にのみ設けられているが、洗浄後、下洗浄ノズル１０内に洗浄水が溜まらないように下方に噴射孔が設けられていてもよい。
【００４１】
下導水路１２は、略水平前後方向に伸び、下洗浄ノズル１０の上方で下方に屈曲し、中空のパイプ形状で構成されている。下導水路１２は、下食器かご７の下部線材７ａに固定され、下食器かご７とともに前後方向に移動する。下導水路１２が前方に移動すると、下導水路１２後端と洗浄槽３の後部壁３ｇに固定されたパイプ形状の下結合部１３との結合が外れる。下食器かご７および下導水路１２が後方に移動すると、下導水路１２後端が下結合部１３と結合し、下洗浄ノズル１０に洗浄水を送水することができる。
【００４２】
下食器かご７は、下洗浄ノズル１０の上方で、上方から見て洗浄空間５のほぼ全体に設けられている。下食器かご７は、下食器かご７の左右両側面において、洗浄槽３の左右両側の側壁３ｅ、３ｆの内側面の下部に保持された左右一対の下食器かごレール１４により前後移動可能に支えられ、洗浄槽３の前面開口部２から洗浄槽３の前方へ引き出すことができるように構成されている。下食器かご７は、標準状態では大皿類やまな板、なべ等の大型の食器や調理器具が収納できるよう構成されている。
【００４３】
上洗浄ノズル１１は、上導水路１５を介して洗浄槽３の後部壁３ｇに片持ちで固定支持されている。上洗浄ノズル１１は、扉体４が閉じられたときに上食器かご８の下方に位置し、扉体４が閉じられたときに上食器かご８を上方から見て略中央部に上導水路１５と連結されて回転自在に設けられている。上洗浄ノズル１１は、洗浄水を通す中空空間を有し、上食器かご８上の被洗浄物６に向けて洗浄水を噴射する複数の噴射孔１１ａが上面に設けられている。上洗浄ノズル１１は、上導水路１５から供給される洗浄水が噴射孔１０ａから噴射される際に発生する反力により回転する。
【００４４】
なお、本実施の形態においては、噴射孔１１ａは上洗浄ノズル１１の上面にのみ設けられているが、洗浄後、上洗浄ノズル１１内に洗浄水が溜まらないように下方に噴射孔が設けられていてもよい。
【００４５】
上導水路１５は、略水平前後方向に伸び、上洗浄ノズル１１の上方で下方に屈曲し、中空のパイプ形状で構成されている。上導水路１５は、その後端部において、洗浄槽３の後部壁３ｇに固定されたエルボ形状のパイプを有した上結合部１６と結合され、洗浄槽３の後部壁３ｇに片持ちで固定されている。上導水路１５は、上結合部１６を介して供給される洗浄水を上洗浄ノズル１１に送水する。
【００４６】
上食器かご８は、扉体４が閉じられているとき、上洗浄ノズル１１の上方で、上方から見て洗浄槽３のほぼ全体に設けられている。上食器かご８は、上食器かご８の左右両側面において、洗浄槽３の左右両側の側壁３ｅ、３ｆの内側面の上部に保持された左右一対の上食器かごレール１７により前後移動可能に支えられ、洗浄槽３の前面開口部２から洗浄槽３の前方へ引き出すことができるように構成されている。上食器かご８は、標準状態では茶碗や直径２０ｃｍ以下の中皿類、湯のみ、コップなどの小型食器が収納できるように構成されている。
【００４７】
洗浄槽３の洗浄空間５の最下部に凹形状の排水口３０が設けられている。洗浄排水ポンプ１８が、洗浄槽３の底面の外側下方に配置されている。ポンプ水路３１は、排水口３０と洗浄排水ポンプ１８とを連通する経路である。洗浄排水ポンプ１８は、被洗浄物６を洗浄するための洗浄水を洗浄水路３２を介して下洗浄ノズル１０および上洗浄ノズル１１に送水する。また、洗浄排水ポンプ１８は逆転することにより弁を切り替え、洗浄が終わった後の洗浄槽３内の洗浄水を食器洗い機１の外部に排水する。洗浄排水ポンプ１８から送
水された洗浄水は、洗浄水路３２を通り、２経路に分水される分水部３２ａを経て、下洗浄ノズル１０と上洗浄ノズル１１とに送水される。
【００４８】
なお、本実施の形態においては、上導水路１５は洗浄槽３の後部壁３ｇで上結合部１６と結合し、片持ちで固定されているが、下導水路１２と同様に、上導水路１５は上食器かご８の下部線材に固定され、上食器かご８とともに前後方向に移動するように構成されてもよい。その構成によれば、上食器かご８の高さが調整可能に構成されたときに、上食器かご８の高さ調整とともに上導水路１５の高さもともに変化し、その高さ調整位置に対応した上結合部１６を洗浄槽３の後部壁３ｇに複数設ければ、上食器かご８の高さ位置に関わらず、上洗浄ノズル１１に洗浄水を送水することができる。
【００４９】
また、洗浄と排水を１つのポンプで動作させているが、別々に２つのポンプを用いてもよい。
【００５０】
本実施の形態の食器洗い機１は、下食器かご７および上食器かご８に載置された被洗浄物６から落下する水滴を受ける主トレイ２０および補助トレイ２１を備えている。主トレイ２０および補助トレイ２１は、扉体４とともに前方に引き出される。主トレイ２０および補助トレイ２１は、扉体４とともに円滑に洗浄槽３に対し出し入れできるように、洗浄槽３の左方の側壁３ｅおよび右方の側壁３ｆとの間に隙間を設けて配置されている。主トレイ２０は、扉体４が閉じられているとき、洗浄空間５の内部に位置し、下食器かご７の下方に、下食器かご７の上方から見て下食器かご７より左右方向に大きいサイズに構成されている。補助トレイ２１は、主トレイ２０の下方に配設されており、扉体４が閉じられているとき、洗浄槽３の下方に設けられた補助トレイ収納部１９内に収納され、洗浄空間５の外部に位置する。補助トレイ２１は、扉体４が引き出されているとき、主トレイ２０との間に高さ方向において、例えば５ｃｍ以上の使用者の手が入る間隔が確保されて配設されている。
【００５１】
主トレイ２０は剛性の高い樹脂材料で形成され、後方に向かって下方に傾斜（例えば、傾斜角５度）している。主トレイ２０は、洗浄槽３の前面に向かって左右方向において、洗浄槽３の左右両側の側壁３ｅ、３ｆに面する周縁が中央部より高くなるように溝状に構成され、上方に開口されている。主トレイ２０の前端部は扉体４に設けられた主トレイ爪部２０ａと爪嵌合で着脱自在に固定されている。主トレイ２０の後方に向かう下方への傾斜は、少なくとも底部の上面に形成されていればよいが、底部の下面（裏面）にも形成されていればさらによい。また、上記の主トレイ２０の後方に向かう下方への傾斜は、主トレイ２０の前端部と扉体４との固定において、主トレイ２０を後方に向かって下方に傾斜させて配置し、固定することによって構成されてもよい。なお、主トレイ２０の後方に向かう下方への傾斜は、本実施の形態では一定の傾斜角としてあるが、複数の傾斜角で構成されてもよいし、徐々に連続的に変化する傾斜角で構成されてもよい。
【００５２】
主トレイ２０の後端部左右には回転自在のトレイローラー２３（転動支持部）が備えられている。トレイローラー２３は、洗浄槽３の左右両側の側壁３ｅ、３ｆの内側面に設けられたトレイレール２４の上面を転がりながら主トレイ２０を支える。扉体４が引き出されると、主トレイ２０は、トレイローラー２３によって支えられ、扉体４とともに引き出される。
【００５３】
主トレイ２０の表面に、親水コートが施されてもよい。これによって、主トレイ２０に付着する洗浄水が水滴となって主トレイ２０の表面に留まることが抑制されるので、洗浄水が床面に落下することを抑制することができる。
【００５４】
補助トレイ２１は剛性の高い樹脂材料で形成され、略水平に配置されている。補助トレ
イ２１は、第１の補助トレイ２１ａと、第１の補助トレイ２１ａより下方に設けられた第２の補助トレイ２１ｂとで構成されている。第１の補助トレイ２１ａと第２の補助トレイ２１ｂはともに上方が開口している。扉体４が閉じられているときは、第１の補助トレイ２１ａと第２の補助トレイ２１ｂは上下に重なったように位置している。扉体４が引き出されると、第１の補助トレイ２１ａと第２の補助トレイ２１ｂは、互いに相対的に前後方向に変位しつつ扉体４とともに引き出される。
【００５５】
扉体４の洗浄槽３側の面（内面）には外周に沿ってシール部２５が設けられている。シール部２５は、シリコンゴムで中空に形成され、洗浄槽３側の面には磁力を有するゴム磁石が内蔵されている。シール部２５に対向する洗浄槽３の洗浄槽シール面２６は磁性を有する金属であるＳＵＳ４３０で構成されている。これによって、扉体４が引き出された状態から閉じられるとき、シール部２５は洗浄槽シール面２６に磁力によって引き込まれ、扉体４は洗浄槽３に対して水密性を保って閉じられる。
【００５６】
シール部２５が洗浄槽シール面２６に引き込まれた後、シール部２５全面が洗浄槽シール面２６と磁力で吸引されてシールされる。これにより、多少、扉体４や洗浄槽シール面２６のそり等による変形や、扉体４の前倒れが起こったとしても、洗浄中のシール性を確保でき、洗浄空間５の外への水漏れを防止することができる。
【００５７】
なお、本実施の形態においては方形状に連続してシール部２５が設けられているが、一部シール部の繋がりが途切れていたりしていても、扉体４と洗浄槽３とのシールが確保できていればよい。
【００５８】
また、洗浄槽シール面２６の材質としてＳＵＳ４３０が用いられているが、磁性を有する材質、例えば鉄のような材質であってもよく、洗浄槽シール面２６以外の洗浄槽３の前面は樹脂等の磁性を有しない物質が用いられてもよい。
【００５９】
さらに、シール部２５は、扉体４側に設けられているが、洗浄槽３側に設けられ、対向する扉体４の面に磁性を有する材質が用いられてもよい。
また、洗浄槽シール面２６は洗浄槽３の前面３ａより後方に構成されている。この構成により、洗浄槽シール面２６を伝って下方に流れてくる洗浄水を受けたり、洗浄中に扉体４が引き出された場合、洗浄排水ポンプ１８が停止するまでの間、シール部２５と洗浄槽シール面２６の隙間から洗浄槽シール面２６を伝って流れてくる洗浄水を受けることができる。
【００６０】
また、洗浄槽３前方の底面には、上方に開口した受け部２７が設けられている。これによって、多少の洗浄水が流れてきても溢れることなく受けることができる。さらに、下方の洗浄槽シール面２６に部分的に孔部２６ａが設けられている。これによって、受け部２７内に溜まった洗浄水を洗浄槽３内に戻すことができる。
【００６１】
扉体４の洗浄空間５側の内壁には、鍵形状のフック２８が設けられている。このフック２８に下食器かご７の前部略中央の線材が係合され、扉体４と下食器かご７とが連動して前後に移動可能に構成されている。また、使用者が下食器かご７を外したいときには、下食器かご７の前部線材を持ち上げることによりフック２８から下食器かご７を容易に外すことができる。また、フック２８の後方には傾斜面が設けられている。これにより、扉体４を前方に引き出しているときで、フック２８から下食器かご７を外して洗浄槽３内に位置している状態でも、扉体４が閉じられると下食器かご７の前部線材がフック２８の傾斜面を上り、扉体４が閉じられた状態では下食器かご７の前部線材がフック２８に係合され、次回扉体４が前方に引き出されたときには、下食器かご７も同時に引き出される。
【００６２】
洗浄槽３の後部上方に給水弁２９が配設されている。洗浄水は水道と直結された給水弁２９から洗浄槽３内に給水される。
【００６３】
洗浄槽３の外側後部下方にファン３３が設けられている。ファン３３は、食器洗い機１の乾燥工程などで動作して、外気を吸い込み、送風経路３４を経て送風口３５から洗浄空間５の内部に供給する。洗浄空間５の内部に供給された空気は、洗浄空間５の下方に位置するヒータ３６により暖められて、洗浄空間５の内部の被洗浄物６を乾燥させ、扉体４の上面または側壁に設けられた排気口３７より排気させる。排気口３７は、洗浄槽３の天面または側壁に設けられていてもよい。
【００６４】
温度検知部３８が洗浄槽３の底面外側に密着して配設されている。温度検知部３８は、洗浄槽３内の洗浄水、空気およびヒータ３６の温度を間接的に検知する。
【００６５】
制御部４０が、洗浄槽３の底面下方に設けられている。制御部４０は、使用者によって操作される操作部９からの信号により、給水弁２９を制御して洗浄槽３内への洗浄水の供給を制御したり、温度検知部３８の出力に基づいてヒータ３６を制御したりするとともに、洗浄排水ポンプ１８、ファン３３等を制御して、洗浄、すすぎ、乾燥の一連の工程を逐次実行する。
【００６６】
図４は、本発明の実施の形態１における食器洗い機の扉体が閉じられた状態の要部正面断面図である。
【００６７】
図２〜図４に示されるように、洗浄水導入部７０が、洗浄槽３の左右両側の側壁３ｅ、３ｆの内側面に設けられている。洗浄水導入部７０は、主トレイ２０の上方に位置し、主トレイ２０の周縁を覆っている。洗浄水導入部７０は、後方に向かって下方に傾斜させ、かつ、洗浄槽３の左右両側の側壁３ｅ、３ｆの内側面から内方に向かって下方に傾斜させて設けられている。この構成によって、洗浄水導入部７０は、被洗浄物６を洗浄中および洗浄後の洗浄水を主トレイ２０に導入する。
【００６８】
また、洗浄水導入部７０は、主トレイ２０に備えられたトレイローラー２３が転がりながら移動するトレイレール２４の上方に位置し、トレイレール２４の上面を覆っている。この構成によって、トレイレール２４に洗浄水がかかることが少なくなり、トレイレール２４上に洗浄水に含まれる残菜や汚れが付着することが少ない。
【００６９】
洗浄水導入部７０の後方に向かう下方への傾斜および洗浄槽３の左右両側の側壁３ｅ、３ｆの内側面から内方に向かう傾斜は、少なくとも上面に形成されていればよいが、下面（裏面）にも形成されていればさらによい。なお、洗浄水導入部７０の後方に向かう下方への傾斜および洗浄槽３の左右両側の側壁３ｅ、３ｆの内側面から内方に向かう傾斜は、本実施の形態では一定の傾斜角としてあるが、複数の傾斜角で構成されてもよいし、徐々に連続的に変化する傾斜角で構成されてもよい。
【００７０】
洗浄水導入部７０は、本実施の形態においては、平板状に形成されているが、これに限定されるものではない。
【００７１】
排水口３０には、被洗浄物６を洗浄する洗浄工程および被洗浄物６をすすぐすすぎ工程で、被洗浄物６に汚れとして付着していた食品等の残菜を捕集する排水フィルタ５０が設けられている。排水フィルタ５０は、第１の排水フィルタ５０ａと、第１の排水フィルタ５０ａの周囲に設けられた第２の排水フィルタ５０ｂと、排水口３０の上方を覆うように形成された第３の排水フィルタ５０ｃの３つの部品により構成されている。
【００７２】
第１の排水フィルタ５０ａは、樹脂材料で円筒形に形成され、外周面および底面に１辺約４．５ｍｍの略正方形の孔が多数設けられている。第２の排水フィルタ５０ｂは、ステンレスメッシュで円筒形に形成され、外周面に１辺約４．５ｍｍの略正方形の孔が多数設けられている。第３の排水フィルタ５０ｃは、第１の排水フィルタ５０ａおよび第２の排水フィルタ５０ｂが上部から嵌合される孔を有し、直径約１ｍｍのパンチング孔が多数開けられたステンレス板で板状に形成されている。洗浄排水ポンプ１８に連通するポンプ水路３１が第２の排水フィルタ５０ｂ外側の排水口３０の底面に接続されている。
【００７３】
図５（ａ）は、本発明の実施の形態１における食器洗い機の扉体が閉じられた状態のスライドレール近傍の要部正面断面図である。図５（ｂ）は、本発明の実施の形態１における食器洗い機の補助トレイが除かれて扉体が前方に引き出された状態の要部側断面図である。
【００７４】
図５（ａ）および図５（ｂ）に示されるように、左右一対のスライドレール６０は、洗浄槽３の洗浄空間５の外下方の左右両内側面に取り付けられた固定レール６０ａと、固定レール６０ａにスライド自在に装着された第１の可動レール６０ｂと、第１の可動レール６０ｂにスライド自在に装着された第２の可動レール６０ｃから構成されている。
【００７５】
扉体４は、扉体４の下方において、金属板で形成された左右一対のアングル６１の前端部と固定されている。アングル６１は第２の可動レール６０ｃ上に位置し、アングル６１の後端部は第２の可動レール６０ｃに形成された引っ掛け部６０ｄに引っ掛けられ、アングル６１前方で第２の可動レール６０ｃにネジ止めされて固定されている。扉体４が前方に引き出されたとき、アングル６１および第２の可動レール６０ｃは扉体４を略垂直に支えつつ、洗浄槽３の前面開口部２から前方に引き出される。
【００７６】
アングル６１上には第１の補助トレイ２１ａの左右のフランジ部が載置されている。第２の補助トレイ２１ｂは、第１の補助トレイ２１ａの左右のトレイスライド部２１ｃにおいて第１の補助トレイ２１ａに対して前後方向にスライド自在に保持されている。
【００７７】
図６（ａ）は、本発明の実施の形態１における食器洗い機の扉体が閉じられた状態の補助トレイ近傍の要部側断面図である。図６（ｂ）は、本発明の実施の形態１における食器洗い機の扉体が前方に引き出された状態の補助トレイ近傍の要部側断面図である。
【００７８】
図６（ａ）および図６（ｂ）に示されるように、第１の補助トレイ２１ａの前部は、第１の補助トレイ２１ａのリブを扉体４の引っ掛け部４ａに引っ掛けることによって、扉体４に係合されている。第１の補助トレイ２１ａの後部は、補助トレイ爪部２１ｄをアングル６１に爪嵌合させることによって、アングル６１に着脱自在に固定されている。
【００７９】
扉体４が閉じられた状態から引き出されていくと、まず、第１の補助トレイ２１ａがアングル６１とともに引き出される。その後、第１の補助トレイ２１ａの後方に設けられた引っ掛け部２１ｅと、第２の補助トレイ２１ｂの前方に設けられた引っ掛け部２１ｆとが係合し、第２の補助トレイ２１ｂも前方に引き出される。
【００８０】
第１の補助トレイ２１ａと第２の補助トレイ２１ｂは、扉体４がスライドレール６０の限界まで前方に引き出されたとき、第１の補助トレイ２１ａと第２の補助トレイ２１ｂのトレイスライド部２１ｃにおいて、まだ前後方向のオーバーラップ部２１ｇが残るように、両者の前後関係の長さが構成されている。これにより、扉体４がスライドレール６０の限界まで前方に引き出されたときにおいても、第２の補助トレイ２１ｂが不安定になり、斜めになったり、外れたりすることがない。
【００８１】
また、第１の補助トレイ２１ａと第２の補助トレイ２１ｂは、扉体４がスライドレール６０の限界まで前方に引き出されたとき、第１の補助トレイ２１ａと第２の補助トレイ２１ｂの左右方向の全幅にわたって、まだ前後方向のオーバーラップ部２１ｇが残るように、両者の前後関係の長さおよび左右方向の幅寸法が構成されている。これにより、扉体４がスライドレール６０の限界まで前方に引き出されたときにおいても、第１の補助トレイ２１ａ上に落下する洗浄水が床面に落下することがない。
【００８２】
第１の補助トレイ２１ａ、第２の補助トレイ２１ｂおよびアングル６１を上記のように構成することにより、下食器かご７および上食器かご８が扉体４とともに前方に引き出されたときに、第１の補助トレイ２１ａと第２の補助トレイ２１ｂが主トレイ２０の下に展開し、上面から見て主トレイ２０より広い範囲を完全に覆い、主トレイ２０から床面への水滴の落下を防ぐことができる。
【００８３】
逆に扉体４が引き出された状態から閉じられていくと、まず、第１の補助トレイ２１ａがアングル６１とともに洗浄槽３の下方の補助トレイ収納部１９内に収納されていく。このとき、第２の補助トレイ２１ｂは、トレイスライド部２１ｃにおいて異常に大きな摩擦力が働かない限り、後方に移動しない。第１の補助トレイ２１ａと第２の補助トレイ２１ｂとは、トレイスライド部２１ｃにおいて、互いに相対的に前後方向に変位する。その後、第２の補助トレイ２１ｂの前端部と扉体４の内壁４ｂとが当接し、第２の補助トレイ２１ｂは扉体４によって押され、洗浄槽３の下方の補助トレイ収納部１９内に収納されていく。
【００８４】
なお、第１の補助トレイ２１ａと第２の補助トレイ２１ｂは、ともに略水平に配置されている。これにより、第１の補助トレイ２１ａと第２の補助トレイ２１ｂ上に落下した水滴は、特定の箇所に集中することがなく、自然蒸発が促進される。したがって、落下した水滴を排水する構成を備える必要がなく、また、使用者が水滴を拭き取る手間も生じない。
【００８５】
図６（ａ）および図６（ｂ）に示されるように、本実施の形態においては、引っ掛け部２１ｆは、第２の補助トレイ２１ｂの前端部に構成されているが、別の部位に構成されてもよい。
【００８６】
また、第２の補助トレイ２１ｂが洗浄槽３から前方に外れてしまわないように、洗浄槽３の前面３ａにストッパー３ｂが設けられている。扉体４が前方に引き出されていくとき、ストッパー３ｂと第２の補助トレイ２１ｂ後方に設けられた引っ掛け部２１ｈが当接する。これによって、第２の補助トレイ２１ｂは、それ以上の前方への移動を阻止され、洗浄槽３から前方に外れることがない。また、第２の補助トレイ２１ｂの後端が洗浄槽３の前面３ａより前方まで出てしまうことがないので、下食器かご７および上食器かご８から落下する洗浄水の床面への落下を防止することができる。
【００８７】
また、本実施の形態において、２枚の補助トレイ２１ａおよび２１ｂが設けられているが、排水口３０や洗浄排水ポンプ１８等のスペースを確保できれば、１枚で構成されてもよい。また、３枚以上の複数の補助トレイが設けられれば、排水口３０や洗浄排水ポンプ１８等のスペースをより広く確保することができる。
【００８８】
さらに、第１の補助トレイ２１ａおよび第２の補助トレイ２１ｂは剛性の高い樹脂材料で形成されているが、扉体４が前方に引き出されたときに主トレイ２０の下方を覆うことができれば、金属や樹脂の薄板、布、ゴムのようなたわむことのできるシート材料を用いて、扉体４が閉じられているときは、折り畳まれたり、ロール状に巻き取られたりする構
成であってもよい。
【００８９】
図７は、本発明の実施の形態１における食器洗い機の扉体が前方に引き出された状態の主トレイ近傍の要部平面断面図である。
【００９０】
図７に示されるように、補助トレイ２１は主トレイ２０より左右方向において大きく構成されている。主トレイ２０の後部には、左右方向に長手方向を有した長方形状の複数のトレイ流出口２０ｂが形成されている。図２に示されるように、トレイ流出口２０ｂは、主トレイ２０の底部の上面と下面（裏面）とを貫通させて設けられている。トレイ流出口２０ｂは、洗浄中および洗浄後において、主トレイ２０上に落下し、主トレイ２０の底部の後方に向かって下方に傾斜させた上面によって導かれてきた洗浄水や水滴を洗浄槽３の内部に導く。
【００９１】
図２および図７に示されるように、トレイ流出口２０ｂ上には、一辺約４．５ｍｍの正方形状の孔が多数設けられたトレイフィルタ４１が着脱自在に載置されている。トレイフィルタ４１は、洗浄時に主トレイ２０上に流れてくる洗浄水に含まれる残菜を、上記多数の正方形状の孔によって捕集する残菜フィルタである。トレイフィルタ４１は主トレイ２０に着脱自在に載置されているので、使用者は、扉体４を引き出すとトレイフィルタ４１も前方に引き出され、トレイフィルタ４１に捕集された残菜を容易に処理することができる。
【００９２】
なお、トレイフィルタ４１は、本実施の形態のように主トレイ２０に着脱自在に構成されるのが最適であるが、主トレイ２０が扉体４に着脱自在に取り付けられているので、主トレイ２０に一体的に備えられていても、残菜処理は可能である。
【００９３】
扉体４が前方に最後まで完全に引き出された状態で、トレイ流出口２０ｂは洗浄槽３の前面３ａより後方に位置させている。これにより、主トレイ２０上に落下した洗浄水がトレイ流出口２０ｂから流れ出たとしても、洗浄槽３の受け部２７上に落ち、補助トレイ２１上や床面に落ちることがない。このように、できる限り補助トレイ２１上に洗浄水が落下しないように構成することにより、補助トレイ２１上の洗浄水が自然蒸発によって乾燥しやすくし、補助トレイ２１のメンテナンスを減らすことができる。
【００９４】
なお、トレイ流出口２０ｂを設けずに主トレイ２０の後部の壁面をなくして、洗浄水を主トレイ２０後部から洗浄槽３内に流すように構成してもよい。
【００９５】
また、トレイフィルタ４１を備えずに、排水フィルタ５０で粗い残菜も捕集する構成にしてもよい。
【００９６】
さらに、主トレイ２０は剛性の高い樹脂材料で形成されているが、扉体４が前方に引き出されたときに下食器かご７の下方を覆うことができれば、金属や樹脂の薄板、布、ゴムのようなたわむことのできるシート材料を用いて、扉体４が閉じられているときは、折り畳まれたり、ロール状に巻き取られたりする構成であってもよい。
【００９７】
以上のように構成された食器洗い機１について、その動作および作用を説明する。
【００９８】
使用者が食器洗い機１から扉体４を前方に引き出すと、扉体４にフック２８によって係合された下食器かご７と、主トレイ２０および補助トレイ２１が、扉体４に連動して前方に引き出される。使用者は被洗浄物６を下食器かご７にセットする。続いて、使用者は、上食器かご８を引き出して被洗浄物６を上食器かご８にセットし、洗剤を洗浄槽３内に投入する。そして、扉体４上面の操作部９によって洗浄および乾燥のコースや条件を入力し
、電源ボタン、スタートボタンを押し、扉体４を閉める。
【００９９】
制御部４０は、扉体４が閉じられたことを扉体開閉スイッチ（図示せず）により検知すると、運転を開始する。
【０１００】
図８は、本発明の実施の形態１における食器洗い機の洗浄工程における洗浄水の流れが示された側断面図である。
【０１０１】
まず、洗浄排水ポンプ１８が動作して、前回の運転等で洗浄槽３内に残っている洗浄水の残水を食器洗い機１外へ排出する。次に、給水弁２９が動作して、所定量の水道水が洗浄水として洗浄槽３内に供給される。
【０１０２】
所定量の洗浄水が供給されると、排水口３０からポンプ水路３１によって接続された洗浄排水ポンプ１８の内部にも洗浄水が洗剤とともに流れ込む。洗浄排水ポンプ１８による加圧が開始され、洗剤が溶け込んだ洗浄水が送水され、分水部３２ａで分水される。分水部３２ａで分水された洗浄水の一部は、下結合部１３、下導水路１２を経て、下洗浄ノズル１０に送られる。
分水部３２ａで分水された洗浄水の残りの一部は、上結合部１６、上導水路１５を経て、上洗浄ノズル１１に送られる。
【０１０３】
それぞれの洗浄ノズルに送水された洗浄水は、下洗浄ノズル１０に設けられた噴射孔１０ａおよび上洗浄ノズル１１に設けられた噴射孔１１ａからそれぞれ被洗浄物６に向けて上方に噴射される。そして同時に、噴射孔１０ａおよび噴射孔１１ａから噴射される洗浄水の反力を利用してそれぞれの洗浄ノズルを回転させる。
【０１０４】
下洗浄ノズル１０および上洗浄ノズル１１から噴射されて被洗浄物６を洗浄した洗浄水の大半は、主トレイ２０上に落ちて後方に向かう下り傾斜に沿って流れる。そして、まず、トレイフィルタ４１で粗めの残菜が漉しとられる。次に、排水フィルタ５０で細かい残菜が漉しとられる。その後、排水口３０に回収され、ポンプ水路３１を介して洗浄排水ポンプ１８に再び流れ込む。このように洗剤が溶け込んだ洗浄水が循環し、被洗浄物６を洗浄する洗浄工程が行われる。この洗浄工程では、制御部４０は洗浄槽３内に設けられたヒータ３６に通電して、洗浄水を循環させながら所定温度まで加熱する。
【０１０５】
この際、洗浄槽３の両側の側壁３ｅ、３ｆには、後方に向かって下方に傾斜させ、かつ、側壁３ｅ、３ｆの内側面から主トレイ２０に向かって下方向に傾斜させた洗浄水導入部７０が設けられている。この洗浄水導入部７０によって、洗浄中に洗浄槽３の両側の側壁３ｅ、３ｆの内側面にかかる洗浄水は、主トレイ２０に導入されて、トレイ流出口２０ｂを通過して洗浄槽３の内底３ｄに流れ落ちる。したがって、洗浄中の洗浄水が主トレイ２０と洗浄槽３の壁面との隙間に流れ込んで汚れや残菜が主トレイ２０の周縁に付着することを抑制することができる。
【０１０６】
さらに主トレイ２０上を流れる洗浄水の量が安定する。これによって、洗浄水の水流に乗って洗浄主トレイ２０上に落ちた汚れや残菜はトレイ流出口２０ｂに流れる。これにより、主トレイ２０に残菜や汚れが付着したままになることがなく主トレイ２０を清潔に保て、臭いを発生させる心配もない。
【０１０７】
さらに、主トレイ２０を流れる洗浄水の量が安定し、残菜や汚れを洗い流す水勢を維持できるので、主トレイ２０の水平に対する傾斜角度を小さくすることができる。これによって、主トレイ２０を配置するためのスペースが少なくて済むので、サイズの大きい食器や調理容器を効率よく収容できる。
【０１０８】
また、洗浄後に洗浄槽３の左右両側の側壁３ｅ、３ｆの内側面を伝って洗浄水導入部７０に落ちてくる洗浄水も同様に、洗浄水導入部７０によって主トレイ２０上に導かれる。これにより、扉体４が引き出されることに伴って主トレイ２０が引き出されたときに、主トレイ２０の周縁に水滴や残菜が付着して床面に落下することを防止することができる。
【０１０９】
なお、比較のため、主トレイ２０に洗浄水を導入する洗浄水導入部７０が設けられていない場合の洗浄水の流れについて説明する。被洗浄物６を洗浄した洗浄水の流れは、主トレイ２０を通過して洗浄槽３の内底３ｄへと流れる流れと、主トレイ２０を通過せずに主トレイ２０の周縁と洗浄槽３の左右両側の側壁３ｅ、３ｆとの隙間を通過して洗浄槽３の内底３ｄにそのまま流れてしまう流れとが存在する。主トレイ２０の周縁と洗浄槽３の左右両側の側壁３ｅ、３ｆとの隙間を通過する流れによって、主トレイ２０の周縁に洗浄中に水滴や残菜が付着しやすくなるとともに、洗浄後に扉体４が引き出されたときに洗浄中に付着した水滴や残菜が主トレイ２０から床面に落下してしまう。また、上記２つの流れに分かれることによって、主トレイ２０上を流れる水量が減少する。これにより、主トレイ２０上に落ちた汚れや残菜を洗い流す勢いが弱くなる。そのため、主トレイ２０は水平に対して相当大きく傾斜させる必要が生じ、主トレイ２０を設けるためのスペースが余分に必要となり、収容できる食器や調理容器のサイズや数量が制約される。
【０１１０】
洗浄工程が所定時間行われると、洗浄排水ポンプ１８が被洗浄物６から洗い落とされた汚れを含む洗浄水を食器洗い機１外へ排出する。そして、制御部４０は、新たに給水弁２９を開いて洗浄槽３内に洗浄水を供給し、下洗浄ノズル１０および上洗浄ノズル１１に設けられた噴射孔１０ａおよび噴射孔１１ａから再び洗浄水が噴射されて、洗剤や残菜等で汚れた被洗浄物６をすすぐ、すすぎ工程を実行する。すすぎ工程における洗浄槽３内部の洗浄水の流れは、洗浄工程と同様である。したがって、洗浄水導入部７０の作用も、洗浄工程と同様である。
【０１１１】
このすすぎ工程が終わると、洗浄排水ポンプ１８は洗浄水を再び食器洗い機１外へ排出する。このすすぎ工程は連続して複数回繰り返される。そして、複数回行われるすすぎ工程の後に、ヒータ３６により洗浄水を所定温度（例えば６０℃）まで加熱してすすぐ加熱すすぎ工程が行われる。
【０１１２】
加熱すすぎ工程が終了すると乾燥工程が開始される。この乾燥工程では、ファン３３が動作し、外気が送風経路３４を介して送風口３５から洗浄槽３内へ送り込まれる。洗浄槽３内に送り込まれた空気は、送風口３５の下流方向に設けられたヒータ３６により加熱された後、被洗浄物６を乾燥させて排気口３７より食器洗い機１の外に排気される。乾燥工程終了後、制御部４０は、食器洗い機１の運転を終了し、ブザーで使用者に運転終了を報知する。
【０１１３】
食器洗い機１の運転終了後、使用者は扉体４を前方に引き出すことによって下食器かご７を引き出し、洗浄乾燥の終わった被洗浄物６を取り出し、次に上食器かご８を引き出し、被洗浄物６を取り出す。
【０１１４】
以上のように本実施の形態における食器洗い機１は、前面開口部２を有した洗浄槽３と、洗浄槽３の前面開口部２を覆い前方に引き出し可能な扉体４と、洗浄槽３と扉体４とで形成された洗浄空間５と、洗浄空間５内に収納される下食器かご７と、下食器かご７に収納された食器等の被洗浄物６を洗浄する下洗浄ノズル１０と、扉体４とともに引き出される主トレイ２０と補助トレイ２１とを備え、主トレイ２０は、洗浄空間５内の下食器かご７の下方に設けられ、補助トレイ２１は、主トレイ２０の下方で洗浄空間５外に設けられたものである。
【０１１５】
洗浄工程が始まり乾燥工程が終わるまでは、被洗浄物６および洗浄槽３内はもちろんのこと、主トレイ２０の裏面にも水滴が残っており、その状態で扉体４が引き出されたとき、主トレイ２０の裏面に付着した水滴が下に落下することがある。本実施の形態における食器洗い機１は、上記の構成によって、補助トレイ２１がその水滴を受けることができるため、水滴が床面に落ちることを防ぐことができる。また補助トレイ２１上には水滴しか落ちないため、汚れが蓄積して補助トレイ２１や補助トレイ２１が収納される空間が不潔な環境になることがない衛生的な食器洗い機を提供することができる。
【０１１６】
さらに、補助トレイ２１を主トレイ２０より左右方向の幅寸法を大きくしたことにより、扉体４が引き出されたとき、主トレイ２０の裏面から落ちる水滴を補助トレイ２１で確実に受けることができ、床面に水滴が落ちることを防ぐことができる。
【０１１７】
また、扉体４とともに下食器かご７も前方に引き出されることにより、使用者が扉体４を引き出す動作だけで下食器かご７が前方に引き出され、使用者がわざわざ下食器かご７を引き出すことなく下食器かご７に被洗浄物６をセットすることができる。
【０１１８】
さらに、主トレイ２０および補助トレイ２１を着脱可能としたことにより、使用者は、主トレイ２０および補助トレイ２１を取り外して丸洗いすることができ、主トレイ２０および補助トレイ２１を衛生的に保つことができる。
【０１１９】
また、扉体４が引き出されたときの主トレイ２０と補助トレイ２１の隙間は、使用者の手が入る５ｃｍ以上の間隔としたことにより、使用者が主トレイ２０と補助トレイ２１の隙間に手を入れて、主トレイ２０を取り外すことなく容易に主トレイ２０の下面および補助トレイ２１の上面を掃除することができ、主トレイ２０および補助トレイ２１を衛生的に保つことができる。
【０１２０】
さらに、補助トレイ２１を第１の補助トレイ２１ａと第２の補助トレイ２１ｂの２枚のトレイで構成したことにより、扉体４が閉じられたとき、補助トレイ２１の水平方向に占める面積を小さくすることができ、排水口３０や洗浄排水ポンプ１８等のスペースを広く確保することができる。
【０１２１】
また、第１の補助トレイ２１ａと第２の補助トレイ２１ｂは、扉体４が洗浄槽３の前面開口部２を覆っているときには上下方向に重ねられて収納され、扉体４が引き出されたときには引き出し方向に展開されることにより、補助トレイ２１を折り曲げたり、屈曲させたりすることなく、排水口３０や洗浄排水ポンプ１８等のスペースを広く確保することができ、小型の食器洗い機を提供することができる。
【０１２２】
また、扉体４が引き出されて補助トレイ２１が引き出し方向に展開されたときに、第１の補助トレイ２１ａと第２の補助トレイ２１ｂの間にオーバーラップ部２１ｇが存在するように構成したことにより、扉体４がスライドレール６０の限界まで前方に引き出されたときにおいても、第２の補助トレイ２１ｂが不安定になり、斜めになったり、外れたりすることを防止できる。また、第１の補助トレイ２１ａ上に落下する洗浄水の床面への落下を防止することができる。
【０１２３】
また、扉体４が引き出されて補助トレイ２１が引き出し方向に展開されたときに、第２の補助トレイ２１ｂは、後方の引っ掛け部２１ｈが洗浄槽３の前面３ａに設けられたストッパー３ｂによって洗浄槽３の前面３ａより後方に位置規制される。これによって、第２の補助トレイ２１ｂが洗浄槽３から前方に外れることがない。また、第２の補助トレイ２１ｂの後端が洗浄槽３の前面３ａより前方まで出てしまうことがないので、下食器かご７
および上食器かご８から落下する洗浄水の床面への落下を防止することができる。
【０１２４】
また、主トレイ２０は、底部の上面が後方に向かって下方に傾斜させて形成もしくは配置され、主トレイ２０の後部に底部の上面と下面とを貫通させてトレイ流出口２０ｂが設けられている。これによって、洗浄中はもちろん、洗浄終了後においても、主トレイ２０上に落下する洗浄水や水滴を主トレイ２０の底部の上面の傾斜およびトレイ流出口２０ｂによって洗浄槽３内に確実に導くことができる。これによって、洗浄中においては、洗浄水の循環を良くして洗浄性能を向上させることができる。また、洗浄終了後においては、主トレイ２０上に落下する洗浄水や水滴をすみやかに、主トレイ２０上から除去し、洗浄槽３内に移動させることができ、扉体４が引き出されたときに、洗浄水や水滴が床面に落下することを防止することができる。
【０１２５】
また、主トレイ２０のトレイ流出口２０ｂは、扉体４が完全に引き出されたとき、洗浄槽３の前面３ａより後方に位置するように構成されている。この構成によって、扉体４が完全に引き出されたときにおいても、主トレイ２０上に落下する洗浄水や水滴を確実に洗浄槽３内に収容することができる。したがって、扉体４とともに引き出される主トレイ２０がいかなる位置にあっても、主トレイ２０上に落下する洗浄水や水滴をトレイ流出口２０ｂによって確実に洗浄槽３内に移動させることができるとともに、食器かごから落下する洗浄水の床面への落下を防止することができる。
【０１２６】
また、主トレイ２０は、トレイ流出口２０ｂに洗浄水に含まれる残菜を捕集するトレイフィルタ４１を備えている。トレイフィルタ４１が扉体４とともに前方に引き出されることにより、使用者は、残菜の処理を容易に行うことができる。また、洗浄槽３の最下部に位置する排水フィルタ５０より洗浄水の流れの上流側にトレイフィルタ４１が設けられたことにより、残菜処理が行いづらい排水フィルタ５０への残菜の堆積を少なくし、使用者による残菜処理の手間を軽減することができる。
【０１２７】
また、主トレイ２０は、洗浄槽３に対し転動しながら主トレイ２０を支持するトレイローラー２３を備えている。これによって、主トレイ２０が扉体４に片持ち支持された構成においても、主トレイ２０を安定して支持した状態で前後に円滑に移動させることができる。これによって、主トレイ２０が扉体４とともに前方に引き出される際に、主トレイ２０の振動を抑制することができ、主トレイ２０に付着した水滴が周囲に飛散することを抑制することができる。また、洗浄中において、主トレイ２０上に落ちる洗浄水の荷重に対する主トレイ２０の変形を抑えて、主トレイ２０の裏面が洗浄槽３の内底３ｄに流れ込む洗浄水に浸ることを防止することができる。
【０１２８】
また、洗浄槽３の左右の側壁３ｅ、３ｆの内側面に、洗浄水を主トレイ２０に導入する洗浄水導入部７０が備えられている。この構成によって、洗浄中に洗浄槽３の左右両側の側壁３ｅ、３ｆの内側面にかかる洗浄水は、主トレイ２０に導入されて、トレイ流出口２０ｂを通過して洗浄槽３の内底３ｄに流れ落ちる。したがって、洗浄中の洗浄水が主トレイ２０と洗浄槽３の壁面との隙間に流れ込んで汚れや残菜が主トレイ２０の周縁に付着することを抑制することができる。また、主トレイ２０上を流れる洗浄水の量を安定させ、主トレイ２０に残菜や汚れが付着したままになることを防止できる。また、洗浄後においても、洗浄槽３の左右両側の側壁３ｅ、３ｆの内側面を伝って洗浄水導入部７０に落ちてくる洗浄水も同様に主トレイ２０上に導かれ、主トレイ２０の周縁に水滴や残菜が付着して床面に落下することを防止することができる。
【０１２９】
また、洗浄水導入部７０は、主トレイ２０の周縁を覆うように主トレイ２０の上方に設けられている。この構成によって、洗浄中の洗浄水は確実に主トレイ２０上に導入され、主トレイ２０と洗浄槽３の壁面との隙間に流れ込んで残菜や汚れが主トレイ２０の周縁に
付着することを抑制することができる。
【０１３０】
また、洗浄水導入部７０は、主トレイ２０が移動するトレイレール２４を覆うようにトレイレール２４の上方に設けられている。この構成によって、残菜や汚れがトレイレール２４に付着して主トレイ２０の前後方向の移動が阻害されることを防止することができる。
【０１３１】
また、洗浄水導入部７０は、後方に向かって下方に傾斜させて設けられている。この構成によって、洗浄中に洗浄槽３の左右両側の側壁３ｅ、３ｆの内側面にかかる洗浄水を、トレイ流出口２０ｂおよびトレイフィルタ４１を備えた主トレイ２０の後部に可能な限り集中させて導入し、洗浄槽３の内底３ｄに落下させることができる。これによって、主トレイ２０の上面に残菜や汚れが残存することを抑制することができる。また、洗浄後に洗浄水導入部７０の表面に水滴や残菜や汚れが残存することを抑制することができる。
【０１３２】
また、洗浄水導入部７０は、洗浄槽３の内方に向かって下方に傾斜させて設けられている。この構成によって、洗浄中に洗浄槽３の左右両側の側壁３ｅ、３ｆの内側面にかかる洗浄水を、確実に主トレイ２０上に導くことができる。また、洗浄後に洗浄水導入部７０の表面に水滴や残菜や汚れが残存することを抑制することができる。
【０１３３】
なお、本実施の形態においては、下導水路１２と主トレイ２０は独立して設けられているが、下導水路１２を主トレイ２０と一体で形成して、下洗浄ノズル１０を下導水路１２上方に設ければ、下導水路１２の形状を避けるために下食器かご７の形状を凸状に変形させる必要がなく、被洗浄物６の下食器かご７への載置に対する制限が少なくなる。
【０１３４】
また、本実施の形態においては、洗浄水導入部７０は、洗浄槽３の左右の側壁３ｅ、３ｆに設けられているが、扉体４の内側面にも同様の洗浄水導入部が設けられていてもよい。
【産業上の利用可能性】
【０１３５】
以上のように、本発明にかかる食器洗い機は、食器かごを前方に引き出した時に食器かごに載置された被洗浄物から落下する水滴が床面に落下することを防止できる。また、被洗浄物から落ちた汚れが堆積して不潔な環境になることを防止できる。したがって、引き出し式の食器洗い機として有用であるのみならず、引き出し機構を用いた洗濯機等の用途にも適用できる。
【符号の説明】
【０１３６】
１  食器洗い機
２  前面開口部
３  洗浄槽
３ａ  前面
３ｅ、３ｆ  側壁
４  扉体
５  洗浄空間
７  下食器かご
８  上食器かご
１０  下洗浄ノズル
１１  上洗浄ノズル
１８  洗浄排水ポンプ
１９  補助トレイ収納部
２０  主トレイ
２０ｂ  トレイ流出口
２１  補助トレイ
２１ａ  第１の補助トレイ
２１ｂ  第２の補助トレイ
２３  トレイローラー（転動支持部）
２４  トレイレール
４１  トレイフィルタ（残菜フィルタ）
７０  洗浄水導入部
【図１】
2019000613.tif 000003
【図２】
2019000613.tif 000004
【図３】
2019000613.tif 000005
【図４】
2019000613.tif 000006
【図５】
2019000613.tif 000007
【図６】
2019000613.tif 000008
【図７】
2019000613.tif 000009
【図８】
2019000613.tif 000010